Podtech/llm-jp-corpus-v4-ja_patent huggingface dataset:
(57)【要約】      （修正有）【課題】水田に水をかける時、水路を手軽に簡単に堰き止める方法を提供する。【解決手段】水田に水をかける時、水路にブロックを置くだけでよくブロックには、止水用ゴムシール２が付いていて水漏れがしない。また水量調整には当て板４を用いて調整する。【選択図】図２
0003108804.tif 000002
【実用新案登録請求の範囲】
【請求項１】
コンクリート製ブロックで水路に密着した形になり水に流される事がない。現在は土のう袋を用いているが、流水がよく止まらない事が多い。この製品ならただ置くだけで良く使用が簡単である。
【請求項２】
ブロックにはゴムシールを埋め込み方式で付けることにより完全に止水する。
形状、寸法など自由自在に制作が可能であり既設の水路に何ら手を加えることなく、特別な付属品も不要である。
【考案の詳細な説明】
【技術分野】
【０００１】本考案は、水田に水かける時、水路又は堀を堰き止めるのに用いるコンクリート製ブロックである。
【背景技術】
【０００２】水田に水をかける時、水路又は堀に土のう袋をもちえているが、流水がよく止まらないことが多い。また他の方法としては止水板、せき板などでなんらかの装着器具や付属品を使う方法であり既設の水路に手を加える方法である。
【考案の開示】
【考案が解決しようとする課題】
【０００３】費用もかからず簡単に水をかける方法である。
【課題を解決するための手段】
【０００４】本考案は、コンクリート製ブロックを用いて堰き止める。またブロックに止水用ゴムシールを付けることによりきちんと止まり解決するものである。
【考案の効果】
【０００５】製品が安価で、どのような水路又は掘りにも対応可能な形状、寸法のものが製作できる。既設の水路に手を加えることなく設置、取り外しが簡単である。
【考案を実施するための最良の形態】
【０００６】水路に合った形状、寸法のブロックとする。水もれがしないよう止水用ゴムシールをつける。水量調整用のあて板を設ける。設置、取り外しの取手を付ける。大型水路用は分割したものを製作する（質量が重過ぎないようにする）。
【実施例】
【０００７】以下、添付図面に従って一実施例を説明する。１はコンクリート製ブロック本体、２は止水用ゴムシールで水路内面とブロックとの隙間をなくす、３は取手である。４は水量調整用のあて板でこれを底板と間にはさみ水量を調整する時に使う。【０００８】２は止水用ゴムシールで、ブロック本体へ埋め込んである。
４は水量調整用あて板で、木製または竹製とし、既存の資源を利用する。
【図面の簡単な説明】
【００１０】
【図１】  本考案の水止めブロックの実施例を示す設置図である。
【図２】  水止めブロック本体およびあて板の全体図である。
【図３】            〃      正面図である。
【図４】            〃      平面図である。
【図５】            〃      側面図である。
【符号の説明】
【００１１】      １  水かけブロック本体
２  止水用ゴムシール
３  取手
４  水量調整用あて板
５  水路
６  水田への取水口
【図１】
0003108804.tif 000003
【図２】
0003108804.tif 000004
【図３】
0003108804.tif 000005
【図４】
0003108804.tif 000006
【図５】
0003108804.tif 000007
【手続補正書】
【提出日】平成16年12月17日(2004.12.17)
【手続補正１】
【補正対象書類名】実用新案登録請求の範囲
【補正対象項目名】全文
【補正方法】変更
【補正の内容】
【実用新案登録請求の範囲】
【請求項１】
コンクリート製のブロック本体の両側面および底面に連続して止水用ゴムシールを取付けると共に、前記ブロック本体の上面に取手を設けたことを特徴とする水止めブロック。
【請求項２】
ブロック本体の底面に、水量調整用のあて板を設けたことを特徴とする請求項１記載の水止めブロック
【手続補正２】
【補正対象書類名】明細書
【補正対象項目名】全文
【補正方法】変更
【補正の内容】
【考案の詳細な説明】
【技術分野】
【０００１】
本考案は、水田に水を引く時、水路又は堀を堰き止めるのに用いるコンクリート製の水止めブロックに関するものである。
【背景技術】
【０００２】
水田に水を引く時、水路又は堀に土のう袋を詰め込んでいるが、流水がよく止まらないことが多い。また他の方法としては止水板、せき板などでなんらかの装着器具や付属品を使う方法であり既設の水路に手を加える方法である。
【考案の開示】
【考案が解決しようとする課題】
【０００３】
費用もかからず簡単に水を止めることができるブロックを提供することを目的とするものである。
【課題を解決するための手段】
【０００４】
本考案の請求項１記載の水止めブロックは、コンクリート製のブロック本体の両側面および底面に連続して止水用ゴムシールを取付けると共に、前記ブロック本体の上面に取手を設けたことを特徴とするものである。更に請求項２記載の水止めブロックは、ブロック本体の底面に、水量調整用のあて板を設けたことを特徴とするものである。
【考案の効果】
【０００５】
本考案は、ブロックに止水用ゴムシールを取付けることにより、既設の水路に手を加えることなく設置できて、確実に水が止まり、また取外しも容易で、製品を安価に製造することができ、どのような水路又は掘にも対応可能な形状、寸法のものが製作できる。
【考案を実施するための最良の形態】
【０００６】
水路に合った形状、寸法のブロックとする。水もれがしないよう止水用ゴムシールを取り付け、更に必要に応じて底面に水量調整用のあて板を設ける。大型水路用は分割したものを製作する（質量が重過ぎないようにする）。
【実施例】
【０００７】
以下、添付図面に従って一実施例を説明する。１はコンクリート製のブロック本体で、この両側面および底面にブレード状の止水用ゴムシール２を連続してブロック本体１へ埋め込んで取付け、ブロック本体１の上面に取手３を突設したものである。更に水量を調整する時に、水止めブロック本体の底面に水量調整用のあて板４を設けたものである。前記水量調整用あて板４は、木製または竹製とし、既存の資源を利用することができる。
【０００８】
水田へ水を引く時に、上記構成の水止めブロック１の取手３を手に持って、水路５内に詰め込むことにより、止水用ゴムシール２で水止めブロック本体１と水路５の内壁との隙間を塞いで、堰き止められた水が水田への取水口６から流れ出すようになっている。また水量が多く水路５からあふれる恐れがある時には、水止めブロック本体１の底面に水量調整用あて板４を設けて、底部側から水を流すようにしても良い。
【図面の簡単な説明】
【０００９】
【図１】本考案の水止めブロックの実施例を示す設置図である。
【図２】水止めブロック本体およびあて板の斜視図である。
【図３】水止めブロックの正面図である。
【図４】水止めブロックの平面図である。
【図５】水止めブロックの側面図である。
【符号の説明】
【００１０】
１  ブロック本体
２  止水用ゴムシール      
３  取手                    
４  水量調整用あて板  
５  水路  
６  水田への取水口
(57)【要約】【課題】  温泉成分と薬石が発生するミネラル成分を肌から吸収する個人用の石風呂装置であって、家庭で好きな時に自由に石風呂を楽しむことのできる小屋風の石風呂を提供する。【解決手段】  僅か一坪程の小屋風の建物であって、健康ルーム（温浴室）と、シャワー室と、出入口兼用の脱衣室とから成り、健康ルームの床には温泉水を浸出する薬石層と、加熱層を設け、それぞれに水管を埋設して小屋風の石風呂装置を形成し、トラクター等で家の庭や家内に設置することができる。【選択図】    図１
0003108807.tif 000002
【実用新案登録請求の範囲】
【請求項１】
健康ルーム（１）とシャワー室（２）及び出入口（３）の３区割された小屋風の浴室Ａであって、健康ルーム（１）の壁面を断熱パネル（５）で囲い、該健康ルームの床面（６）に砂利層（７）を設け、該砂利層（７）内に温泉水浸出管（１０）を埋設して、別に設けた温泉水貯水缶Ｙに接続させること、加熱用の温水管（１５）を床面下層のコンクリート層（８）内に埋設し、外部に設けた加熱用ボイラーＸを介して循環加熱給水することを特徴とした小屋風石風呂装置。
【請求項２】
健康ルーム（１）の床に敷き詰める砂利層（７）は、硫紋岩、花嵐岩、玄武岩、角閃岩、トルマリン石、かんらん石、小野鉱石等の砕石粒を用いる請求項１に記載の小屋風石風呂装置。
【考案の詳細な説明】
【技術分野】
【０００１】
本考案は、家庭用として個人で楽しめる石風呂装置に関する。
【背景技術】
【０００２】
湯のない温泉といわれている石風呂装置は、大衆浴場のように大形に構成されて利用されているが、高温多湿によって床に敷かれている薬石層から放射される遠赤外線とマイナスイオン及び温泉水蒸気による鉱物ミネラル成分を全身で浴び肌から吸収するため新陳代謝が盛んとなって薬用効果があるとして人気があり話題を呼んでいる。
【特許文献１】特開２００１−８５８８９号公報
【考案の開示】
【考案が解決しようとする課題】
【０００３】
上述のように薬効があり人気のある石風呂装置も、その場所に出掛けて行って入浴するため、その利用度は月に２〜３回程度であって、これでは薬効も半減する。
【課題を解決するための手段】
【０００４】
考案者はこの石風呂装置を手軽に家庭で利用できる構造とするため、種々試作の結果本考案を完成したものであって、本考案は僅か１坪程度の小屋風の石風呂装置を開発したものであって、これによって家の庭先や車庫の中、又はビルの中などに設置することが出来、好きなときに気軽に利用することが可能となり、また家族全員の健康が保たれる。そし
てこの石風呂装置で使用する温泉水は、別に設けたタンクで供用されるため、温泉水を購入して運んでもよく、又市販されている温泉の素を投入して利用することもできる。
【考案の効果】
【０００５】
本考案の小屋風の石風呂装置は、プレハブ住宅のように構成されているため、トレーラーなどで運搬して設置することが可能であって、家庭の風呂として毎日でも又好きな時に利用でき、家族全員の利用が可能のため、この本考案の石風呂による薬用効果は顕著に期待できる。
【考案を実施するための最良の形態】
【０００６】
図面により本考案の小屋風の石風呂装置の実施の形態を説明すると、図において、この小屋風石風呂は１８２０×２２７５×２２５５ｍｍであって約１坪余りの大きさであるため、トレラー等で運搬が可能であり、設置後はボイラーＸおよび缶Ｙを取り付け、給水管を接続するのみで、直ちに利用することができる。
【実施例】
【０００７】
図１において、図は小屋風石風呂装置Ａの平面図であって石風呂を楽しむ健康ルーム（１）とシャワー室（２）及び出入口（３）の３区割されていて、出入口（３）は脱衣室を兼用している。
【０００８】
図２は健康ルーム（１）の断面図であって、壁面は断熱パネル（５）で構成され、床面（６）は加熱層となるコンクリート層（８）と砂利層（７）の２層によって形成され、下層となるコンクリート層（８）には別に設けたボイラーＸからの加熱用の温水管（１５）が埋設され循環されている。
【０００９】
上層の砂利層（７）は硫紋岩、花嵐岩、玄武岩、角閃岩、トルマリン石、かんらん石、小野鉱石等の砕石粒からなる砂利層であって、１０〜１５ｃｍ位の層状に形成し、この層中に温泉水浸透用のパイプ（１０）を埋設する。このパイプ（１０）は温泉水貯水缶Ｙに接続していて、石風呂使用中に温泉水は砂利層（７）内に浸透し、下方から加熱されて水
蒸気となって健康ルーム（１）内に充満される。
【００１０】
隣接するシャワー室（２）は健康ルーム（１）で出た汗を流すために必要であってこれによって心身爽快となる。温水貯水槽Ｙ内の使用量は毎日家族全員で使用する場合でも１〜２Ｌ位であるため普通に使用すれば石油缶１箇の量で１月は充分であり、場合によっては、水道水に市販されている温泉の素を溶かして使用することも可能であって、これによるときは温泉を選んでの利用が可能である。
【産業上の利用可能性】
【００１１】
上述のように本考案の小屋風石風呂装置は個人用の石風呂として、気がねなく楽しめるため利用度は大きく、また入浴も毎日でも入れるため鉱物ミネラルの薬用効果も顕著に現れる。
【図面の簡単な説明】
【００１２】
【図１】小屋風石風呂の平面図
【図２】小屋風石風呂の断面図
【図３】小屋風石風呂の側面図
【符号の説明】
【００１３】
１  健康ルーム
２  シャワー室
３  出入口
５  断熱パネル
６  床面
７  砂利層
８  加熱コンクリート層
１０  温泉水浸出管
１５  加熱温水管
Ｘ  ボイラー
Ｙ  温泉水タンク
【図１】
0003108807.tif 000003
【図２】
0003108807.tif 000004
【図３】
0003108807.tif 000005
(57)【要約】      （修正有）【課題】足全体を載せて無理することなく大腿部のみを傾斜状に保持することで楽な姿勢となり、寝返って横向きになっても楽に安眠することのできる安楽マットを提供する。【解決手段】適度の弾性と柔軟性を有する合成樹脂材からなる方形体の片側端部から上向きに傾斜する傾斜し、この傾斜面は大腿部を載せることのできる載置部３として使用する。傾斜載置部３の高い位置にある円形部４から下方へ垂直面５を形成したものであり、傾斜載置部３は、全体に湾曲面とし、膝を自然に曲げて楽な姿勢で安眠可能である。【選択図】図１
0003108892.tif 000002
【実用新案登録請求の範囲】
【請求項１】
適度の弾性と柔軟性を有する合成樹脂材からなる方形体の片側端部から上向きに傾斜する傾斜載置部３を形成し、傾斜載置部３の高い位置にある円形部４から下方へ垂直面５を形成したことを特徴とする安楽マット。
【請求項２】
傾斜載置部３は、全体に湾曲面としたことを特徴とする請求項１に記載する安楽マット。
【考案の詳細な説明】
【技術分野】
【０００１】
本考案は、大腿部を傾斜状に保持して脚部の血行を良くし、疲れを取り去るための安楽マットに関するものである。
【背景技術】
【０００２】
仰向けに寝た時に足をやや高めにすると血行が良くなり、疲れがとれることは以前から知られていることである。一般的には枕を使用したり、二つ折りにした座布団を使用し、足首をこれらマット代わりの上に載せるようにしていた。しかし、このような状態では膝が真っ直ぐに延びたままとなるので膝の部分が痛くなり、長い時間、仰向けに寝てはいられないものであった。
【０００３】
特に、寝返りをして横向きになった時には足首を高くして寝ることはできないものであった。実開昭６０−５６３６９号として「足枕」が提供されている。これは、腰から下の足全体を載せ、かつ、足を心臓よりも高い位置にして寝るようにしたものである。
【特許文献１】実開昭６０−５６３６９号公開公報
【考案の開示】
【考案が解決しようとする課題】
【０００４】
しかし、上記する従来技術は、腰から足全体を高くして寝るために、仰向けに寝た場合には足が真っ直ぐな状態となり、膝に負担がかかるので長時間同じ姿勢で寝ることはできないものである。特に、寝返りをして横向きになった時、足先が上に位置するので寝にくく、安眠ができないものである。
【０００５】
本考案は、上記する足枕の問題点に鑑み、足全体を載せて無理することなく大腿部のみを傾斜状に保持することで楽な姿勢となり、寝返って横向きになっても楽に安眠することのできる安楽マットを提供することを目的とするものである。
【課題を解決するための手段】
【０００６】
上記の目的を達成するために本考案マットは、適度の弾性と柔軟性を有する合成樹脂材からなる方形体の片側端部から上向きに傾斜する傾斜載置部３を形成し、傾斜載置部３の高い位置にある円形部４から下方へ垂直面５を形成したものであり、傾斜載置部３は、全体に湾曲面としてある。
【考案の効果】
【０００７】
マット本体１は、片側から上向き傾斜状にした傾斜面３を有しているので、低い位置に臀部を載せ、大腿部６を傾斜面３にそって載せることで足が楽な状態となり、うっ血現象を無くして血流を良くすることができる。
【０００８】
上向きに寝た状態、横向きに寝た状態いずれの場合でも膝７に負担がかかることがなく、大腿部から足首にかけて楽な状態となるので、長時間同じ姿勢で寝ても疲れることがなく、熟睡して寝覚めがさわやかなものである。
【考案を実施するための最良の形態】
【０００９】
以下、図面に従って本考案の一実施形態を詳細に説明する。
図１は、本考案安楽マットの本体１を示すものであり、底面２を平らな面とした方形体の片側端部から上向き傾斜状の傾斜面３を形成する。この傾斜面３は、大腿部の載置部として使用されるものであり、全体が上方へ湾曲した形状を有しており、最も高い位置から円形面４を介して下方への垂直面５を形成している。
【００１０】
本考案は、上記の構成であるから、マット本体１を敷き布団やベッドの上に置き、図２に示すように、仰向けに寝て低い位置に臀部を載せ、大腿部６を湾曲傾斜面３に載せれば、膝７は円形面４に載り、膝から足首までは自由な状態となり、膝７は自然に曲がった状態となるので膝７に負担がかかることがなく、長時間仰向けの姿勢で安眠することができる。
【００１１】
寝返りをして横向きになっても膝７から先は自由な状態であるから、膝７から折り曲げることができ、楽な姿勢を保って安眠できる。そして、仰向けに寝た場合や横向きに寝た場合、いずれでも大腿部６は傾斜状に持ち上げられた状態となるので、足のうっ血現象を無くし、楽な姿勢を保つことができる。特に、膝方向に向けて上向き傾斜させた傾斜面３は、全体に湾曲した面を有するので、大腿部６を載せた時、臀部から足首までが湾曲したようになり、仰向けに寝た時には非常に楽な状態となる。。
【００１２】
マット本体１は、長さＬ１が４５〜５０ｃｍ前後、横巾Ｌ２が４０〜４５ｃｍ前後、傾斜角度は６〜８°であり、ウレタンフォームのような適度の弾性と柔軟性を有する合成樹脂材からなっている。使用に際しては表面を適当なカバー材で被覆し、ファスナーやボタン等を使用してカバーは交換可能としておく。全体として軽量であるので持ち運び、取り扱いが容易であり、布団と共に仕舞うことができ、また、普段は座椅子のようにして使用してもよい。
【産業上の利用可能性】
【００１３】
マット本体１は、布団メーカーやベッドメーカーが製作し、布団やベッドと一緒に販売することができる。また、合成樹脂製品のメーカーが独自に製作し、布団店や家具店で安眠あるいは安楽製品として販売することができる。一般家庭で使用する他にマッサージ業においても業務用として使用することができる。
【図面の簡単な説明】
【００１４】
【図１】本考案安楽マットの一実施形態を示す斜視図である。
【図２】本考案安楽マットの使用状態を示す側面図である。
【符号の説明】
【００１５】
１  マット本体
２  底面
３  湾曲載置面
４  円形面
５  垂直面
６  大腿部
７  膝
【図１】
0003108892.tif 000003
【図２】
0003108892.tif 000004
(57)【要約】      （修正有）【課題】使用される火気は携帯用の小型とはいえ、燃焼温度は高く、その上、冬季の登山・登攀ではその使用条件や料理の種類も限定されるところから、従来のものよりも、より高温に耐え且つより硬度の高い屋外炊飯用鍋の提供。【解決手段】鍋本体の内周壁に、塗膜厚をドライ膜厚１５から３０μｍでシリコンセラミック樹脂コーテング加工を施した野外炊飯用鍋。【選択図】図２
0003108857.tif 000002
【実用新案登録請求の範囲】
【請求項１】
鍋本体の内周壁に、塗膜厚をドライ膜厚１５から３０μｍでシリコンセラミック樹脂コーテング加工を施したことを特徴とする野外炊飯用鍋。
【考案の詳細な説明】
【技術分野】
【０００１】  本考案は、コッヘルと呼ばれる登山やハイキング等に使用される野外炊飯用の組鍋に係り、特に、その本体内周壁に施される樹脂加工に関するものである。
【背景技術】
【０００２】  コッヘルと呼ばれる登山やハイキング等に使用される野外炊飯用の組鍋は、図で説明のように、大きさの異なる複数の鍋を小径のものから順に大径のものに収納して携行し、通常、携帯用の小型のガスコンロで使用されるものである。
近年樹脂塗装加工の普及に伴い、これらの組鍋にもフッ素樹脂塗装加工が施されたものが多く販売されている。
【考案が解決しようとする課題】
【０００３】  しかしながら、使用される火気は携帯用の小型とはいえ、ガスコンロであるため燃焼温度は高温であるばかりでなく、特に、冬季の登山・登攀での料理は限定されるところから、従来のものよりも、より高温に耐える、耐熱性に優れた樹脂塗装加工が施された組鍋がもとめられていた。
【課題を解決するための手段】
【０００４】  本考案は前記目的を達成するため、鍋本体の内周壁に、塗膜厚をドライ膜厚１５から３０μｍでシリコンセラミック樹脂コーテング加工を施したことを特徴とするものである
【考案を実施するための最良の形態】
【０００５】  本考案実施の形態を実施例に基づき、図１及び図２を参照して説明する。
図１は、コッヘルと呼ばれる登山やハイキング等に使用される野外炊飯用の組鍋を示し、該鍋は小径のものから順に大径のものに収納して形成されていて、近年チタンを用いたものも散見されるが、多くはアルミニュームで作られ、単にアルマイト加工のもの、或いはその内周壁にフッ素樹脂塗装加工が施されたものなど様々で、最近は樹脂塗装加工が施されたものが好まれている。【０００６】  図２は本考案の野外炊飯用鍋を示したもので、鍋本体１１の内周壁に、塗膜厚をドライ膜厚１５から３０μｍでシリコンセラミック樹脂コーテング加工１２を施している。
【考案の効果】
【０００７】  本考案は以上説明のように、鍋本体の内周壁に、従来公知のフッソ樹脂コーテング加工に替え、塗膜厚をドライ膜厚１５から３０μｍでシリコンセラミック樹脂コーテング加工を施したものであるから、耐熱温度が約７００℃から７５０℃と、従来のフッソ樹脂コーテング加工に比べ概ね３００℃前後と大幅に向上しているばかりでなく、その硬度も鉛筆硬度試験の結果、従来の前記加工品がＦに対しＨと向上している。
【０００８】  その上、塗膜厚をドライ膜厚１５から３０μｍで施されているので、衝撃性（デュポン式試験・１／２ｉｎ×１ｋｇ×５０ｃｍ）及び耐汚染性（卵・醤油・砂糖＝１：１：１牛乳滴下２５０℃×１時間加熱）並びに５時間加熱後密着試験で、３００℃，５００℃，７００℃のそれぞれの過程での耐熱性において、希望する結果が得られる野外炊飯用鍋を提供することが出来る効果を奏する。
【図面の簡単な説明】
【０００９】
【図１】登山やハイキング等に使用される野外炊飯用の組鍋を説明する図である。
【図２】本考案の野外炊飯用鍋を示した図である。
【符号の説明】
【００１０】１１鍋本体    １２シリコンセラミック樹脂塗膜
【図１】
0003108857.tif 000003
【図２】
0003108857.tif 000004
(57)【要約】【課題】自転車の籠に荷物を入れ走行した場合、路面との摩擦振動が直接荷物に伝わり荷物に負荷が掛かっていた。この負荷を簡単、軽量、低コストで軽減することができ荷物を破損から保護する。【解決手段】自転車籠３の内底に弾力があるクッション１を取り付け固定ベルト２を自転車籠３の底から外側に出しクッション１を自転車籠３の内底に固定することで簡単に取り付けることができ、軽量且つ低コストで生産でき走行時に発生する振動や衝撃から荷物を保護するために役立つ【選択図】  図２
0003108856.tif 000002
【実用新案登録請求の範囲】
【請求項１】
自転車の籠に入れた荷物を走行時の振動や衝撃を軽減するために籠の内底にクッションを取り付けたことを特徴とする自転車籠用クッション
【考案の詳細な説明】
【技術分野】
【０００１】  本考案は、自転車の籠に入れた荷物を衝撃から保護し荷物にかかる衝撃負担を軽減させるためにクッションでに関する。
【背景技術】
【０００２】  自転車の籠の荷物を走行振動から守るという概念からサスペンションを取り付けた方法などが取られていた。【０００３】  しかし、自転車の籠に入れた荷物を簡単に軽量で振動衝撃からの負荷を軽減し保護する物がなかった。
【考案の開示】
【考案が解決しようとする課題】
【０００４】  自転車の籠の中に荷物を入れ走行すると地面からの振動衝撃がそのまま荷物に伝わり荷物に負荷が掛かっていた。そのために荷物が破損する原因になっていた。従って走行中の振動衝撃を軽減し荷物を保護するためのクッションを取り付け前述の欠点を解決しようとするものである。
【課題を解決するための手段】
【０００５】  本考案は、自転車の籠の内側にクッションを取り付けこのクッションの底に取り付けた固定ベルトを籠の内底から外側に出し籠とクッションを固定することにより荷物を走行中の振動や衝撃を軽減でき保護することにより問題点を解決している。
【考案の効果】
【０００６】上述の様に、本考案の自転車籠用クッションは走行時に発生する振動と衝撃を軽減し自転車の籠に入れた荷物を破損から保護でき低コストで生産でき耐久性もあり且つ軽量で自転車走行に支障なく使用でき、また簡単に取り付けることができ通勤や買い物時にも役立つ。
【考案の実施するための最良の形態】
【０００７】自転車の籠の内底にクッション本体をクッションの底面に取り付けた固定ベルトが付いている方を下にして入れ固定ベルトを籠の内底から外側に出し固定ベルトを締め自転車の籠とクッション本体を固定しそのクッションの上に荷物をのせることで荷物に伝わる振動や衝撃を軽減することができる。
【実施例】
【０００８】考案の実施の形態について図面を参照して、本考案の実施の一例の形態を以下に説明する。【０００９】図１は、本考案の自転車籠用クッションの一例を示す斜視図である。【００１０】図１に示すように自転車の走行衝撃から荷物を守るため弾力のあるクッション１と籠にクッションを固定するための固定ベルト２、で構成される自転車籠用クッションである。【００１１】以下に前記の自転車籠用クッションの使用方法を図２を参照して説明する。【００１２】まず、クッション１を固定ベルト２が付いている面を下にし、自転車籠３の内底に敷き、固定ベルト２を籠の外側に出し自転車籠３とクッション１を固定ベルト２で固定する。【００１３】本考案１の自転車籠用クッションを使うことにより、走行振動から籠の中の荷物に掛かる負荷を軽減し破損から保護することができる。
【図面の簡単な説明】
【００１４】
【図１】本考案の形態の一例を示す斜視図である。
【図２】本考案の装着時の一例を説明する説明図である。
【符号の説明】
【００１５】１  クッション
２  固定ベルト
３  自転車籠
【図１】
0003108856.tif 000003
【図２】
0003108856.tif 000004
(57)【要約】      （修正有）【課題】背中が汗ばんで寝苦しい時など、少しでも寝苦しさから解放されるようにできるパジャマを提供する。【解決手段】寝具と身体が接する背中部分を、網目の生地にし背中と寝具の間の熱を発散させるようにする。【選択図】図２
0003108842.tif 000002
【実用新案登録請求の範囲】
【請求項１】
背中部分を通気性のよい網目の生地を使用したパジャマ
【考案の詳細な説明】
【考案の開示】
【考案が解決しようとする課題】
【００１】気温が高い季節にパジャマを着て就寝した時、背中に汗をかいたりむれたりする事が多い。その為に肌着のままや裸で寝たりする事がある。
結果、腹を冷やし寝冷えを起こしたり、睡眠不足を起こしたりして、体調不良の発生要因になっていた。
【課題を解決するための手段】
【００２】上記目的を達成する為にパジャマの背中部分を通気性の良い網目状（メッシュ）の生地にする。
【考案の効果】
【００３】腹を冷やさず、背中はむれることなく快適に就寝できる。
【図面の簡単な説明】
【図１】  正面から見た図
【図２】  背中方向から見た図
【符号の説明】
【００５】１．  普通の生地
２．  網目の生地
【図１】
0003108842.tif 000003
【図２】
0003108842.tif 000004
(57)【要約】      （修正有）【課題】従来のバックルベルトの不具合を解消し、作業の効率を向上させると共に、コストを削減するためのバックルベルトを提供する。【解決手段】バックル本体１にスプリング４を組んだレバー２を入れピン３で止める。適度な長さのベルト６をバックル本体端からレバー２との間を通し、本体中央の補強部５横の隙間１０から外へ出し折り返す。折り返したベルトの端に荷掛けフック１２を止める。もう一方の端は手が入るように輪状に縫製し、牽引部８にする。もう１本適度な長さのベルト７をレバーの無い本体端から中央の補強部５横の隙間１１を通して折り返し、本体から外れないように縫製する。縫製した反対側の端に荷掛けフック１３を止める。適度な長さの輪状用ベルト９を本体中央部５を中にして入れ、輪状にして縫製する。【選択図】図２
0003108824.tif 000002
【実用新案登録請求の範囲】
【請求項１】
バックル本体に輪状のベルトや金属のリングを付け、フック部分を掛けられるようにしたバックルベルト。
【考案の詳細な説明】
【考案の詳細な説明】
【技術分野】
【０００１】本考案はオートバイ専用のバックルベルトに関するものである。
【背景技術】
【０００２】オートバイをトラックやワンボックスカーの荷台に固定する場合、図１のようにオートバイを垂直にし、前方左右に予め床面に設置されたフック用アンカー１４にバックルベルトのフック１２を掛け、もう一方のフック１３をオートバイのハンドル１５などに掛けて牽引部８を引いて固定する。
【考案が解決しようとする課題】
【０００３】カウル付オートバイのハンドル近くにはブレーキシステム、クラッチシステム、灯火類の配線、アクセルワイヤー、電子部品などの多くの部品が収められている。フック部を掛けるスペースが少なく、金属製のフックを通すことが困難であり、掛けられても、前記のパーツと干渉し、傷つけてしまう。その際、輪状の補助ベルトを新たに用意し、干渉しない部分に巻き付け、それにフックを掛けて固定するため余分なコストがかかってしまう。
【０００４】本考案は、前記した従来のバックルベルトの不具合を解消し、作業の効率を向上させると共に、コストを削減するためのバックルベルトを提供することを目的とするものである。
【課題を解決するための手段】
【０００５】本考案は上記課題を解決するため、バックルベルトのバックル本体に輪状のベルトやリングを取り付け、補助ベルトの役割を兼ねさせる。
【考案を実施するための最良の形態】
【０００６】以下添付図面に従って実施の形態を説明する。図２は本考案の中央断面図である。バックル本体１にスプリング４を組んだレバー２を入れピン３で止める。適度な長さのベルト６をバックル本体端からレバー２との間を通し、本体中央の補強部５横の隙間１０から外へ出し折り返す。折り返したベルトの端に荷掛けフック１２を止める。もう一方の端は手が入るように輪状に縫製し、牽引部８にする。もう１本適度な長さのベルト７をレバーの無い本体端から中央の補強部５横の隙間１１を通して折り返し、本体から外れないように縫製する。縫製した反対側の端に荷掛けフック１３を止める。適度な長さの輪状用ベルト９を本体中央部５を中にして入れ、輪状にして縫製する。【０００７】カウル付のオートバイ図３の場合ハンドルの周り１６には部品が多く、ベルトのフックを通すのが困難なため、フック１３をハンドル下のフォークアンダーブラケット上１７にベルトを通し、輪状ベルト９へ掛ける。牽引部８を引き固定する。この様にすれば、補助ベルトを使用せずに、周りのパーツを傷つけることなく、固定できる。
【考案の効果】
【０００８】このように補助ベルトを兼ね備えたため、作業の効率を向上させると共にコストも削減できる。
【図面の簡単な説明】
【図１】従来のバックルベルトを用いた使用状態の例を示す図である。
【図２】本考案の輪状ベルト装着バックルベルトの断面図である。
【図３】図２の輪状ベルト装着バックルベルトの使用状態の例を示す図である。
【符号の説明】
１．バックル本体
２．レバー
３．ピン
４．スプリング
５．補強部
６．７．ベルト
８．牽引部
９．輪状ベルト
１０．１１．隙間
１２．１３．荷掛フック
１４．アンカー
１５．ハンドル
１６．カウル付オートバイハンドル
１７．フォークアンダーブラケット
【図１】
0003108824.tif 000003
【図２】
0003108824.tif 000004
【図３】
0003108824.tif 000005
(57)【要約】      （修正有）【課題】鋼管内面ビ−ドを切削する際に切削バイトの刃先が正確に位置付けをすることが出来る鋼管内面ビ−ド切削バイト位置決め装置を提供する。【解決手段】ボ−デ部１に油圧シリンダ−室２に内臓する主ピストンロッド３と先端部にテ−パ−部４と軸受５とコイルバネ６を持つサブピストンロッド７を設け、ボデ−部１のＡ点、Ｂ点で結合する座板８とトップロ−ル９を持つトップロ−ルホルダ−１０を設け、ボデ−部１のスベリ案内部に硬球を介在した支持ピンを設けたことを特徴とする鋼管内面ビ−ド切削バイト位置決め装置。【選択図】図２
0003108822.tif 000002
【実用新案登録請求の範囲】
【請求項１】
ボデ−部（１）に油圧シリンダ−室（２）と主ピストンロッド（３）を設け、先端にテ−パ−部（４）と軸受（５）とコイルバネ（６）からなるサブピストンロッド（７）を設け、ボデ−部（１）のＡ点とＢ点で結合する座板（８）と先端に回転自在なトップロ−ル（９）を持つトップロ−ルホルダ−（１０）を設け、ボデ−部（１）の先端にスベリ案内部（１１）を介して上部はトップホルダ−（１０）の底面に下部はサブピストンロッド（７）の上部に位置し回転自在な硬球（１２）を介在する支持ピン（１３）を設けた事を特徴とする鋼管内面ビ−ド切削バイト位置決め装置。
【考案の詳細な説明】
【考案の詳細な説明】
【技術分野】
【０００１】この考案は、鋼管の内面ビ−ドを切削する際の切削バイト位置決めに関するものである。
【背景技術】
【０００２】従来より溶接鋼管の内面ビ−ドを切削するには第５図に見られる様に下部コロ（１９）をバネや油圧又はその他の駆動力で溶接鋼管（２２）の下部内面を押し付け、その反力で切削治具は上方に持ち上げられ溶接管上部内壁に上部コロ（２０）が接した時点で切削位置を決めた装置や、上記ロ−ラ−による押上機構の他に刃物位置調整機構を付設した特開平成１−１５３２１１号公報に開示された装置が知られている。
【考案が解決しようとする課題】
【０００３】これは次のような欠点があった。
（イ）第５図の様に下部コロ（１９）を利用する方法は刃物の下に「シム」（２１）を入れ替えるので造管を一旦停止させて管を酸素バ−ナ−等で切り開き入れ替える為作業時間や原材料のロスが大きい。
（ロ）特開平成１−１５３２１１号公報開示に於いては溶接管や切削具本体の支持台を溶接管外部に設置された電磁吸引装置により固定し、支持台に結合するテ−パ−ウェジを外部モ−タ−の駆動によって切削具の調整を行っているが、この装置はかなり機構が複雑で高価に成ると思われる。
本考案は、以上の欠点を解決する為に考案されたものである。
【課題を解決する為の手段】
【０００４】（イ）ボデ−部（１）に油圧シリンダ−室（２）と主ピストンロッド（３）と先端部にテ−パ−部（４）と軸受（５）とコイルバネ（６）を持つサブピストンロッド（７）を設ける。
（ロ）ボデ−部（１）のＡ点とＢ点で結合する座板（８）と、先端には回転自在なトップロ−ル（９）を持つトップロ−ルホルダ−（１０）を設ける。
（ハ）ボデ−部（１）の先端にはスベリ案内部（１１）を介して上部はトップホルダ−（１０）の底面に、下部はサブピストンロッド（７）の上部に位置し回転自在な硬球（１２）を介在する支持ピン（１３）を設ける。
本考案は、以上の様な構成からなる鋼管内面ビ−ド切削バイト位置決め装置である。
【考案を実施するための最良の形態】
【０００５】  以下、本考案の実施の形態を説明する。
（イ）ボデ−部（１）とボデ−部（１）に内臓する油圧シリンダ−室（２）と主ピストンロッド（３）とテ−パ−部（４）と軸受（５）とコイルバネ（６）を持つサブピストンロッド（７）と座板（８）とトップロ−ル（９）を持つトップロ−ルホルダ−（１０）とスベリ案内部（１１）と硬球（１２）を介在する支持ピン（１３）と装置本体の先端に切削バイト（１４）と回転自在な下部ロ−ル（１５）を保持する下部ロ−ルホルダ−（１６）と上部ロ−ル（１７）から構成されている。
（ロ）切削バイト（１４）の刃先とトップロ−ル（９）の先端と上部ロ−ル（１７）の先端が一直線上に揃った状態でマンドレル支持ブラケット（１８）に本装置を取り付ける。
（ハ）油圧により下部ロ−ル（１５）を駆動させ反力で切削バイト（１４）の刃先とトップロ−ル（９）と上部ロ−ル（１７）は鋼管内面ビ−ドに接する。
（ニ）油圧調整によりサブピストンロッド（７）のテ−パ−部（４）を介して支持ピン（１３）を上下することによってトップロ−ル（９）を調整する。
本考案は、以上の構成でこれを使用すると切削バイト（１４）の刃先は最適な位置になる。
【考案の効果】
【０００６】本考案を使用することによって
（イ）図５に見られる様うに切削代の調整の為「シム」（２１）を入れ替える事が無いので造管を一旦停止させたり造管中の管を酸素溶接バ−ナ−で切開したりしないので作業時間のロスや原材料の無駄も無く効率的である。
（ロ）本装置は特開平成１−１５３２１１号公報の様に装置外に電磁吸引装置などを設ける必要も無いので装置自体の製造コストの低減を計る事が出来る。
【図面の簡単な説明】
【図１】本考案の平面図
【図２】本考案の要部断面図
【図３】本考案のＸ−Ｘ′に於ける切断面図
【図４】本考案のＹ−Ｙ′に於ける切断面図
【図５】従来装置の図面
【符号の説明】
１    ボデ−部
２    油圧シリンダ−室
３    主ピストンロッド
４    テ−パ−部
５    軸受
６    コイルバネ
７    サブピストンロッド
８    座板
９    トップロ−ル
１０  トップロ−ルホルダ−
１１  スベリ案内部
１２  硬球
１３  支持ピン
１４  切削バイト
１５  下部ロ−ル
１６  下部ロ−ルホルダ−
１７  上部ロ−ル
１８  マンドレル支持ブラケット
１９  下部コロ
２０  上部コロ
２１  「シム」
２２  溶接鋼管
【図１】
0003108822.tif 000003
【図２】
0003108822.tif 000004
【図３】
0003108822.tif 000005
【図４】
0003108822.tif 000006
【図５】
0003108822.tif 000007
(57)【要約】      （修正有）【課題】広告面積が大きく且つスポークと一緒に回転することのないユニークな自転車向け広告掲示板を提供する。【解決手段】上部角をアール面とした略かまぼこ状の上部樹脂板５と、この上部樹脂板５の底辺を介して対称となるよう下部に形成した下部樹脂板６とから成り、両板を繋ぐためのヒンジ１０と固定用ネジ及びヒンジ１０と固定用ネジが外れたり破損した場合に備えて両板を繋ぐ補強ネジ用開孔８を各々の板に２ヵ所設け、尚且つ前記上部樹脂板５の下部中央にはハブ装着用開孔７を設け、自転車のスポーク間の隙間から両板を挿入し、ハブを中心にして一体に繋げて形成される平面部分の左右両面に広告表示を行なう。【選択図】図１
0003108823.tif 000002
【実用新案登録請求の範囲】
【請求項１】
上部角をアール面とした略かまぼこ状の上部樹脂板と、この上部樹脂板の底辺を介して対称となるよう下部に形成した下部樹脂板をヒンジで接続し、自転車のスポーク間の隙間から両板を挿入し、予め上部樹脂板に設けたハブ装着用開孔と下部樹脂板の上辺部でハブを中心にして一体に繋げて形成される平面部分の左右両面に広告表示を行なう。
以上を特徴とする自転車用広告掲示板。
【考案の詳細な説明】
【技術分野】
【０００１】  本考案は、自転車を用いた広告の掲示を行なう際に、自転車に取り付ける広告掲示板に関するものである。
【背景技術】
【０００２】  従来、自転車を用いて広告掲示を行なう場合には、カゴやスポークに広告掲示板を取り付けていた。
【考案の開示】
【考案が解決しようとする課題】
【０００３】  そのために次のような問題点があった。
（イ）カゴへの取り付けでは広告掲示面積が狭く、主として前面しか訴求効果がない。
（ロ）スポークへの取り付けでは、走行中には広告も回転する為、掲示内容を読み取ることが出来ないことや、転倒した場合には広告が汚損する。
本考案は、以上の問題点を解決するためになされたものである。
【課題を解決するための手段】
【０００４】  上部角をアール面とした略かまぼこ状の上部樹脂板と、この上部樹脂板の底辺を介して対称となるよう下部に形成した下部樹脂板をヒンジで接続し、自転車のスポーク間の隙間から両板を挿入し、予め上部樹脂板に設けたハブ装着用開孔と下部樹脂板の上辺部でハブを中心にして一体に繋げて形成される平面部分の左右両面に広告表示を行なう。
【考案の効果】
【０００５】  上部樹脂板の下部にハブ装着用開孔を設けることにより、重心が下がり、それが錘と同じ効果をもたらして常に取りつけ時と同じ状態を保つ。これにより走行中でも掲示された広告を読み取ることが出来る。また、広告掲示板の両面がスポークによって保護されるために、転倒した場合でも広告の汚損が防げる。尚且つ、一方をヒンジで、他方をネジ締めによる装着とすることにより、広告の掲示変更時の脱着が簡便となる。
【考案を実施するための最良の形態】
【０００６】  以下、本考案の実施の形態を説明する。
（イ）自転車のリム（１）、スポーク（２）、ハブ（３）で構成された空間に収まる大きさの上部角をアール面とした略かまぼこ状の上部樹脂板（５）とこの上部樹脂板（５）の底辺を介して対称となるよう下部に形成した下部樹脂板（６）により形成する。
（ロ）上部樹脂板（５）にハブ装着用開孔（７）を設ける。この開孔位置が上部樹脂板（５）と下部樹脂板（６）を繋いで形成された広告掲示板全体の中心よりも上となる為、重心が下がり、常に一定の姿勢が保持出来るので錘が不要となる。
（ハ）上部樹脂板（５）と下部樹脂板（６）をハブに固定するための補強ネジ用開孔（８）、固定ネジ用開孔（９）を上下各樹脂板に設け、上部樹脂板（５）、下部樹脂板（６）の基準となる片どうしの端部にヒンジ（１０）を形成する。
本案は以上のような構造でこれを使用するときは、ヒンジ（１０）で繋いだ上部樹脂板（５）と下部樹脂板（６）でハブを挟み込み、補強ネジ用開孔（８）と固定ネジ用開孔（９）にそれぞれネジを挿入し締め付けて固定する。
【図面の簡単な説明】
【０００７】
【図１】本考案の正面図及び断面図
【図２】本考案の上下開放状態を示す正面図
【図３】本考案の使用状態を示す斜視図
【符号の説明】
【０００８】  １  リム
２  スポーク
３  ハブ
４  タイヤ
５  上部樹脂板
６  下部樹脂板
７  ハブ装着用開孔
８  補強ネジ用開孔
９  固定ネジ用開孔
１０  ヒンジ
１１  広告表示面
【図１】
0003108823.tif 000003
【図２】
0003108823.tif 000004
【図３】
0003108823.tif 000005
(57)【要約】      （修正有）【解決手段】歯科用根管シリンジを２本または３本並列に合体させた構造、およびチップ先端部を独立させた構造を持つことにより、２種類または３種類の薬剤を口腔外に取り出すことなく交互洗浄を行なうことを可能にする。【効果】根管治療において、機械的、化学的清掃によって生じた歯髄組織片や象牙質削片を洗い流すために行われる根管洗浄は、次亜塩素酸ナトリウム、過酸化水素水、生理食塩水などが用いられる。次亜塩素酸ナトリウムと過酸化水素水を交互に用いる交互洗浄は激しく発泡して洗浄効果が高まるが、特に使用時には誤って皮膚、粘膜、衣類などに付着しないように注意が必要である次亜塩素酸ナトリウムを一回一回口腔内から出す必要がなく交互洗浄を行うことが可能になり、患者さんを薬液の危険から守ることができ、かつ短時間に治療をすすめることができる。【選択図】図１
0003108829.tif 000002
【実用新案登録請求の範囲】
【請求項１】
歯科根管治療の交互洗浄における歯科用根管洗浄シリンジを並列に合体させた形状で、口腔外に取り出すことなく根管を洗浄することができる特徴を有する歯科用根管洗浄セーフティダブルシリンジ。
【請求項２】
歯科根管治療の交互洗浄における歯科用根管洗浄シリンジを並列に合体させた形状で、口腔外に取り出すことなく根管を洗浄することができる特徴を有する歯科用根管洗浄セーフティトリプルシリンジ。
【請求項３】
取り外しのできる歯科用根管洗浄シリンジの、先端部チップのみをくっつけた形状を持つダブルシリンジチップ。
【請求項４】
取り外しのできる歯科用根管洗浄シリンジの、先端部チップのみをくっつけた形状を持つトリプルシリンジチップ。
【考案の詳細な説明】
【技術分野】
【０００１】  本考案は、歯科用根管シリンジを並列に合体させた、シリンジとシリンジチップに関するものである。
【背景技術】
【０００２】  歯科治療の根管治療においては、感染歯質、膿、根管の削片を洗い流す時に、次亜塩素酸ナトリウムと過酸化水素水を用いて交互洗浄を行なう。
【考案の開示】
【考案が解決しようとする課題】
【０００３】  歯科における、根管治療の交互洗浄に用いる薬剤は、口腔内外に漏らすと、粘膜、皮膚、衣服等に変色を引き起こす。
本考案は、口腔外へ取り出すことなく交互洗浄が行なうことができるように前述の課題を解決するものである。
【課題を解決するための手段】
【０００４】  本考案は、歯科用根管シリンジを並列に合体させることにより、歯科治療の根管治療において用いる危険な次亜塩素酸ナトリウムと過酸化水素水を口腔外へ取り出すことなく交互洗浄を行うことができるように前述の課題を解決している。
【考案の効果】
【０００５】  上述のように、本考案は、患者さんを薬液の危険から守ることができ、かつ短時間に治療をすすめることができる。
【考案の実施するための最良の形態】
【０００６】２本または３本のシリンジを並列に合体させた形態で、材質はポリプロピレン製。先端部はそれぞれ独立しており、シリンジと先端部は約１２０度の角度がつく。２本なら次亜塩素酸ナトリウムと過酸化水素水、３本なら次亜塩素酸ナトリウムと過酸化水素水と生理食塩水がはいる。薬液が判別できるように各シリンジの色を変えること。気腫を防止するため、先端は可及的に細く、根尖への圧力を減弱調整できるように先端部には目盛りが付く。液体の流出を防ぐため、シリンジから先端までは一体とし、継ぎ目がないようにする。
シリンダは少しテーパーがついていること。プランジャや先端はゴム状または軟性プラスティックになっていること。
【実施例】
【０００７】  以下、添付図面に従って一実施例を説明する。
１はポリプロピレン製で一体形成されたシリンジ本体。歯科用根管洗浄セーフティダブルシリンジの場合は２色、歯科用根管洗浄セーフティトリプルシリンジの場合は３色の色分けを行う。２はシリンダ部。３はシリンジ本体内部をスライドするプランジャ。４はゴム製または軟性プラスティック製フランジ。５はチップ先端部で６の目盛りがつく。７は人差し指と中指でつまむ把持部。８は親指で押し込む押し込み部。【０００８】  歯科用根管洗浄セーフティダブルシリンジチップは、５のチップ先端部を独立させたもの。２本の２のシリンダ部とネジ状に連結される。
歯科用根管洗浄セーフティトリプルシリンジチップは、５のチップ先端部を独立させたもの。３本の２のシリンダ部とネジ状に連結される。
【産業上の利用可能性】
【０００９】  本考案の一実施例は上述の如き構成からなるものであるから、シリンジ本体１を２本並列に合体させた構造であれば２つの薬剤を、３本並列に合体させた構造であれば３つの薬剤を使用することができる。
また、疲労しやすいチップ先端部を独立させることにより経済的になる。
【図面の簡単な説明】
【００１０】
【図１】本考案の歯科用根管洗浄セーフティダブルシリンジの斜横図である。
【図２】本考案の歯科用根管洗浄セーフティダブルシリンジの真横図である。
【図３】本考案の歯科用根管洗浄セーフティダブルシリンジの下面図である。
【図４】本考案の歯科用根管洗浄セーフティダブルシリンジの上面図である。
【図５】本考案の歯科用根管洗浄セーフティダブルシリンジの先端正面図である。
【図６】本考案の歯科用根管洗浄セーフティダブルシリンジの後端正面図である。
【図７】本考案の歯科用根管洗浄セーフティトリプルシリンジの斜横図である。
【図８】本考案の歯科用根管洗浄セーフティダブルシリンジチップの斜横図である。
【図９】本考案の歯科用根管洗浄セーフティトリプルシリンジチップの斜横図である。
【符号の説明】
【００１１】  １  シリンジ本体
２  シリンダ部
３  プランジャ
４  フランジ
５  チップ先端部
６  目盛り
７  把持部
８  押し込み部
【図１】
0003108829.tif 000003
【図２】
0003108829.tif 000004
【図３】
0003108829.tif 000005
【図４】
0003108829.tif 000006
【図５】
0003108829.tif 000007
【図６】
0003108829.tif 000008
【図７】
0003108829.tif 000009
【図８】
0003108829.tif 000010
【図９】
0003108829.tif 000011
(57)【要約】      （修正有）【課題】幅の広い洗濯物を干すことができるハンガーを提供する。【解決手段】中央に開閉機構を有する棒状の基軸と基軸に設けられた複数のクリップと、任意の物干し竿に吊持させる支持機構を上部に有する支持部材と、支持部材の下端から基軸の開閉機構を挟んだ左右位置に連結したチェーンや紐等の連結部材とよりなり、基軸は吊り下げた状態で水平状態を維持するものである。【選択図】図１
0003108835.tif 000002
【実用新案登録請求の範囲】
【請求項１】
中央に開閉機構を有する棒状の基軸と該基軸に設けられた複数のクリップと、任意の物干し竿に吊持させる支持機構を上部に有する支持部材と、該支持部材の下端から前記基軸の開閉機構を挟んだ左右位置に連結したチェーンや紐等の連結部材とよりなり、前記基軸は吊り下げた状態で水平状態を維持するものであることを特徴とするハンガ−。
【考案の詳細な説明】
【技術分野】
【０００１】  本考案は、幅の広い洗濯物を干すことができるハンガーに関するものである。
【背景技術】
【０００２】  従来は四角や円の枠で開閉式のものがあった。
【考案の開示】
【考案が解決しようとする課題】
【０００３】  従来のハンガーは四角や円の枠があるため、枠内でしか洗濯物を干すことができないし、収納時、場所をとる。
【課題を解決するための手段】
【０００４】  中央に開閉機構を有する棒状の基軸と該基軸に設けられた複数のクリップと、任意の物干し竿に吊持させる支持機構を上部に有する支持部材と、該支持部材の下端から前記基軸の開閉機構を挟んだ左右位置に連結したチェーンや紐等の連結部材とよりなり、前記基軸は吊り下げた状態で水平状態を維持するものである。
【考案の効果】
【０００５】  本考案のハンガーは単独でも複数でも使用可能であり、単独では狭い場所や少量の干し物に適し、タオル等の大きさの干し物には二本を使用し、シーツ等の幅広い干し物には三本を使用すると便利である。
干し物の幅によってハンガー数を調整することでどのような幅の干し物にも対応することができる。
シーツは竿や紐に直接掛けると竿や紐の長さに限定され、掛けられる枚数も少ないが本考案の棒状ハンガーを使用するとクリップ数分の枚数を干すことができる。
干し物を取り込む時も枠がないので複数本を一箇所にまとめて取り込むことができるため効率が良い。
基軸が中央部分で二つ折りにできるのでコンパクトな収納が可能であり、旅行等の携帯にも便利である。
フックが３６０度回転可能なので竿や紐等に対して直角にも平行にも使用できる。
【考案の実施するための最良の形態】
【０００６】  棒状の基軸１の下方に等間隔で連結チェーン３を介してクリップ４が取り付けられている。
支持棒８の上方に竿や紐にかけるフック５を取り付ける。
支持棒８の下端にはチェーン取り付けのための回動連結部２が設けられており、左右にチェーン７の一端がそれぞれ連結されている。
連結チェーン３とチェーン７に関しては紐やくさりやプラスチック等、多様な材料を用いることができる。
それぞれのチェーン７の他端は基軸１左右中間部の上部に設けられた取付穴９に連結されている。
フックは３６０度回転可能だが固定しても良い。
基軸１の開閉機構は軸で回動するように連結されており、支持棒８からのチェーン７で引っ張られることにより開くとともに水平状態で基軸１ａが基軸１ｂの上に乗り押さえつける作用となり水平状態を維持するものである。
フック５は竿や紐をはさみ込む形状であるが、単に引っ掛ける形状でも良い。
これを使用するときは、フック５を竿や紐に掛けてクリップ４で洗濯物をとめる。
この時基軸１の向きは竿や紐に対して直角でも並行でも良い。
【図面の簡単な説明】
【０００７】
【図１】本考案の正面図である
【図２】本考案の正面図である
【図３】本考案の使用例である
【符号の説明】
【０００８】１；１ａ；１ｂ  基軸
２              回動連結部
３              連結チェーン
４              クリップ
５              フック
６              回動部
７              チェーン
８              支持棒
９              取付穴
【図１】
0003108835.tif 000003
【図２】
0003108835.tif 000004
【図３】
0003108835.tif 000005